(57)【要約】【課題】  本発明は、撮像時の手ブレによる失敗を減少可能なカメラシステムを提供することを目的とする。【構成】  カメラ２と保持台１とからなるカメラシステムにおいて、  保持台１は、  カメラ２を保持する保持部１ｇと、カメラ２と通信可能に接続するための接続端子と、前記接続端子に接続されたカメラ２にレリーズ信号を送信するために操作されるレリーズ釦１ｈと、被写体を保持する被写体台３とを具備する。【選択図】図１
2007019573.tif 000002
【特許請求の範囲】
【請求項１】
カメラと保持台とからなるカメラシステムにおいて、
前記保持台は、
前記カメラを保持する保持部と、
前記カメラと通信可能に接続するための接続端子と、
前記接続端子に接続された前記カメラにレリーズ信号を送信するためのレリーズ釦と、
被写体を保持する被写体台とを具備することを特徴とするカメラシステム。
【請求項２】
カメラと保持台とからなるカメラシステムにおいて、
前記保持台は、
前記カメラを保持する保持部と、
前記カメラと通信可能に接続され前記保持部に設けられた接続端子と、
前記接続端子に接続された前記カメラにレリーズ信号を送信するためのレリーズ釦とを具備することを特徴とするカメラシステム。
【請求項３】
請求項１乃至２に記載のカメラシステムにおいて、前記カメラは、
前記レリーズ信号の受信に応じて撮像処理を開始し画像データを作成する撮像処理部と、
前記撮像処理部により作成された画像データに含まれる設定情報の有無を識別する設定情報識別部と、
前記設定情報識別部により設定情報が識別された際に、該設定情報に応じて前記カメラの設定値を変更する制御部とを具備することを特徴とするカメラシステム。
【請求項４】
請求項３に記載のカメラシステムにおいて、前記設定情報はバーコードで示されていることを特徴とするカメラシステム。
【請求項５】
請求項１乃至２に記載のカメラシステムにおいて、前記カメラは、
撮影画角を変更可能なズームレンズと、
前記レリーズ信号の受信に応じて開始された撮像処理において、撮像被写体の大きさを認識する被写体認識部と、
前記被写体認識部により認識された被写体の大きさに応じて自動的に前記撮影画角を調整する制御部とを具備することを特徴とするカメラシステム。
【請求項６】
カメラを保持する保持部と、
レリーズ信号が入力される入力部と、
前記保持部により保持されたカメラと通信可能に接続され、前記入力部に入力されたレリーズ信号を前記カメラに出力する出力部とを具備することを特徴とする保持台。
【請求項７】
請求項６に記載の保持台において、
前記入力部は、ユーザーの手動操作が加わるレリーズ釦であることを特徴とする保持台。
【請求項８】
請求項６に記載の保持台において、
前記入力部は、外部機器から電気的なレリーズ信号受け取ることを特徴とする保持台。
【請求項９】
請求項８に記載の保持台において、
前記入力部は、コンピューターと接続され該コンピューターからレリーズ信号を受け取ることを特徴とする保持台。
【請求項１０】
請求項６乃至９に記載の保持台はさらに、被写体を保持する被写体台を具備することを特徴とする保持台。
【発明の詳細な説明】
【技術分野】
【０００１】
カメラの保持台、およびカメラシステムに関する
【背景技術】
【０００２】
従来より、カメラにより草花等の小さな被写体等を近接して撮影する際には、手ぶれを防止するためにカメラを三脚に固定して撮影することが推奨されている。
【発明の開示】
【発明が解決しようとする課題】
【０００３】
しかし、マクロ撮影の際に、三脚をセッティングすることは煩雑である。
本発明は、撮像時の手ブレによる失敗を減少可能なカメラシステムを提供することを目的とする。
【課題を解決するための手段】
【０００４】
上記問題点を解決するために、カメラと保持台とからなるカメラシステムにおいて、
前記保持台は、前記カメラを保持する保持部と、前記カメラと通信可能に接続するための接続端子と、前記接続端子に接続された前記カメラにレリーズ信号を送信するためのレリーズ釦と、被写体を保持する被写体台とを具備する。
【０００５】
さらに上記問題点を解決するために、カメラと保持台とからなるカメラシステムにおいて、前記保持台は、前記カメラを保持する保持部と、前記カメラと通信可能に接続され前記保持部に設けられた接続端子と、前記接続端子に接続された前記カメラにレリーズ信号を送信するためのレリーズ釦とを具備する。
【０００６】
さらに上記問題点を解決するために、カメラの保持台は、カメラを保持する保持部と、外部からのレリーズ信号を受ける入力部と、前記保持部により保持されたカメラと通信可能に接続され、前記入力部より受けたレリーズ信号を前記カメラに出力する出力部とを具備する。
【発明の効果】
【０００７】
本発明における保持台を用いたカメラシステムによれば、撮像時の手ブレによる失敗が減少する。
【発明を実施するための最良の形態】
【０００８】
本発明を適用した実施の形態におけるカメラシステムについて説明する。
本実施の形態におけるカメラシステムは、デジタルカメラ２を保持する保持台１およびデジタルカメラ２より構成される。デジタルカメラ２を保持した保持台１の斜視図を図１、図２に示す。
【０００９】
図示のように、デジタルカメラ２の前面には、撮像レンズ開口２aおよびフラッシュ発光窓２ｂが、上面にはレリーズ釦２ｃが、背面には、背面液晶２ｄ、操作部材２eおよびズームスイッチ２ｆが設けられている。なお、レリーズ釦２ｃは、半押により第一スイッチがONとなり、全押により第二スイッチがONとなる周知の複合スイッチである。ズームスイッチ２ｆはテレスイッチおよびワイドスイッチからなる複合スイッチである。また、不図示のデジタルカメラ２の底面には、保持台１等の外部機器と電気的に通信可能に接続される接続端子が設けられている。
【００１０】
保持台１は、上面１a、前面１ｂ、背面１ｃ、側面１ｄ、１eおよび底面１ｆからなり、底面１ｆを底面とする略四角柱形状である。上面１aには、デジタルカメラ２がはめ込まれる略長方形状に窪んだカメラ保持部１ｇが設けられている。なお、図２に示したごとく、デジタルカメラ２は、カメラの背面が保持台１の背面１ｃ側にくるようにカメラ保持部１ｇにより保持される。背面１ｃには、半押により第一スイッチがONとなり、全押により第二スイッチがONとなる周知の複合スイッチであるレリーズ釦１ｈおよびモメンタリスイッチであるモード変更釦１iが設けられている。カメラ保持部１ｇには、デジタルカメラ１がカメラ保持部１ｇにはめ込まれた際に、カメラの接続端子と電気的に通信可能に接続するための接続端子が設けられており、レリーズ釦１ｈおよびモード変更釦１iが押圧操作されると、該撮像台接続端子より接続されたデジタルカメラ２の接続端子を通してデジタルカメラ２へ電気信号が送信される。なお、保持台１に無線接続部を設けても良い。この場合は、保持台１は該無線接続部によりデジタルカメラ２と無線により通信する。
【００１１】
また、保持台１には不図示のコンピューターと通信可能に接続されるCP端子が設けられている。該CP端子は接続端子と電気的に接続されており、CP端子にコンピューターが接続され、デジタルカメラ２がカメラ保持部１ｇにはめ込まれている際には、デジタルカメラ２は、コンピューターと通信可能となる。なお、保持台１に無線接続部を設けても良い。この場合は、保持台１は該無線接続部によりコンピューター等の外部機器と無線により通信可能となる。
【００１２】
保持台１にはさらに、不図示の電源が接続されるDC端子が設けられており、該DC端子はカメラ保持部１ｇに設けられた接続端子と電気的に接続されている。該DC端子に電源が接続され、デジタルカメラ２がカメラ保持部１ｇにはめ込まれている際には、デジタルカメラ２は、DC端子より供給される電力により給電および充電される。
【００１３】
腕部３aは、四角柱形状の部材であり、その長辺方向に垂直な２つの面の一方が保持台１の前面１ｂに、もう一方が後述する被写体台３ｂと取り外し可能に接続される。
被写体台３ｂは、長方形状の板状部材であり、図示のように長辺近辺部分と腕部３aとが取り外し可能に接続される。なお接続方法としては、それぞれの接続される面に一方に凹部を、もう一方に凸部を設け、該凹凸をはめ込み接続しても良い。また、腕部３aと被写体台３ｂまたは腕部３aと被写体台３ｂと保持台１は接着または一体に構成することにより取り外し不能に系合しても良い。被写体台３ｂは、デジタルカメラ２が保持台１のカメラ保持部１ｇにより保持された際にデジタルカメラ２前面とほぼ水平にとなるように設置される。被写体台３ｂの保持台方向の面には、粘着剤等が塗布されており撮像される被写体１００を保持可能である。なお、被写体台３ｂに、バネ等の不正力により物体を保持するクリップを設け、これにより被写体１００を保持するとしても良い。ここで、被写体１００は、紙等の板状の被写体などである。
【００１４】
また、保持台１の底面には、腕部３aとほぼ同形状の不図示の窪みが設けられており、該窪みに腕部３aが収納可能である。また、被写体台３ｂは、凸部が保持台１の底面１ｆに設けられた凹部（不図示）にはめ込まれ、底面に張り付くかたちで、底面に対しほぼ平行な状態で収納される。
＜デジタルカメラ２のブロック＞
本発明におけるデジタルカメラ２は、周知のレンズ一体型デジタルカメラである。
【００１５】
本実施の形態におけるデジタルカメラ２での基本的な処理についてブロック図を基に説明する。デジタルカメラ２のブロック図を図３に示す。
＜制御部＞
制御部２０はＣＰＵ等を含み、接続された、撮像素子２１、画像処理部２２、液晶制御部２３、背面液晶部２４、RAM２５、ROM２６、EEPROM２７、外部メモリ２８、外部入出力部２９、操作部３０等をコントロールする。
【００１６】
＜撮像処理＞
次に、静止画撮像処理について説明する。制御部２０は、レリーズ釦２ｃが半押操作又はデジタルカメラ２が保持台１に保持されている際に保持台１のレリーズ釦１ｈが半押操作されることにより半押レリーズ信号が入力されると、不図示の撮像レンズ系の焦点調節および、測光値より露出値が設定される。なお、撮像レンズ系は撮影画角を変更可能なズームレンズである。撮像レンズ系の撮影画角はズームスイッチ２ｆのテレスイッチ又はワイドスイッチを押圧操作することにより変更可能である。撮像素子２１は、不図示の撮像レンズにより結像した被写体像を電気信号に変換するＣＣＤやＣＭＯＳ等の固体撮像素子である。制御部２０は、レリーズ釦２ｃが全押操作又はデジタルカメラ２が保持台１に保持されている際に保持台１のレリーズ釦１ｈが全押操作されることにより全押レリーズ信号が入力されると、撮像素子２１は、制御部２０等の制御により、設定された露出値に応じた電子シャッターの制御駆動や画像信号の読み出し等の制御等が行われる。撮像素子２１から読み出された画像信号は画像処理部２２に送られる。画像処理部２２に送られた画像信号は、ノイズ除去、Ａ／Ｄ変換、色補間処理、サイズ変更、符号化等の処理が必要に応じて行われ、背面液晶１１に表示する表示用画像データや、記録用画像データ等へ変換される。該記録用画像データは外部メモリ２８に記憶され、表示用画像データは液晶制御部２３により背面液晶部２ｄに表示される。
【００１７】
なお、デジタルカメラ２は上述した静止画撮像処理とは別に、撮像素子２１により連続して間引き読み出された（例えば３０フレーム／秒）画像信号を処理し背面液晶２ｄに動画像として表示する動画像表示処理を行うことができる。なお、該動画像は、撮像素子２１より間引きして画像信号を読み出すため静止画撮像処理と比べて得られる画像信号の解像度が低く、また、記録用画像データは作成されず、背面液晶２ｄに表示する表示用画像データのみが作成される。ユーザーは、動画像表示処理により背面液晶２ｄに表示される動画像により撮影構図を決定し、レリーズ釦２ｃ等を全押圧操作することにより静止画撮像処理を行い高解像度の画像データを撮像し、外部メモリ２８に記憶する。
【００１８】
＜記録処理＞
ＲＡＭ２５は、制御部２０及び画像処理部２２等が処理を行う際にデータの一時的な保存場所などに利用される。ＲＯＭ２６は、デジタルカメラ１の作動に必要なプログラム、該プログラムに使用する初期値等が保存されている。ＥＥＰＲＯＭ２７は、デジタルカメラ１の電源がＯＦＦされても記録情報を保持する内蔵フラッシュメモリである。ＥＥＰＲＯＭ２７には、デジタルカメラ１のユーザー設定やカスタム設定等の情報を記録する。外部メモリ２８は、記録用画像データ等を保存するための着脱可能なメモリーカードである。
【００１９】
＜画像表示処理＞
液晶制御部２３は、制御部２０の指令により送られた表示用画像データを背面液晶部２４へ表示させる。背面液晶部２４は背面液晶２ｄおよびドライバを含む。
【００２０】
＜操作部＞
操作部３０は、レリーズ釦２ｃ、動作モード切換スイッチ４、操作部材２e等を含み、それぞれ操作に応じて制御部２０に信号を送る。
【００２１】
＜外部入出力部＞
外部入出力部２９は、接続端子を含み、撮影台１又は撮影台１に接続されたコンピューターと、コマンド信号、画像ファイル等のデータ信号等の信号を受信又は送信する。
【００２２】
＜デジタルカメラ２の動作モード＞
デジタルカメラ２は、撮影モード、マクロ撮影モード、再生モード、メニューモードの４つの動作モードを有する。撮影モードでは、レリーズ釦２ｃの押圧操作に従い、被写体が撮像される。マクロ撮影モードでは、撮影モードとほぼ同様であるが、近接物に不図示の撮像レンズの焦点が調整可能となる。再生モードでは、外部メモリに記憶されている画像データを背面液晶２ｄに表示する。メニューモードでは、背面液晶２ｄにメニュー項目が表示され、デジタルカメラ２での処理に用いられる設定値をユーザーが設定する。なお、動作モードは、不図示のモード変更操作部材が操作されることにより変更される。また、動作モードは、デジタルカメラ２が保持台１のカメラ保持部１ｇに保持されている際は、保持台１のモード釦１iが押圧操作されることにより、マクロ撮影モードに変更される。なお、動作モードが撮影モードまたはマクロ撮影モードに切り替わると、上述した動画像表示処理が行われ、背面液晶２ｄに動画像が表示される。
【００２３】
＜動作の流れ＞
まず、デジタルカメラ２が保持台１のカメラ保持部１ｇにはめ込まれた状態で、モード釦１iを押圧操作すると、デジタルカメラ２のモードがマクロ撮影モードに変更される。なお、デジタルカメラ２の電源がOFFの場合は、モード釦１iの押圧操作に応じて、デジタルカメラ２の電源をONにした後にデジタルカメラ２の撮影モードがマクロ撮影モードに変更される。次に、ユーザーは、被写体を被写体台に配置した後に、レリーズ釦１ｈを半押および全押操作することにより、デジタルカメラ２で被写体の撮影が行われる。
【００２４】
上述のごとく、本実施の形態におけるカメラシステムは、デジタルカメラ２のレリーズ釦２ｃではなく、安定した保持台１のレリーズ釦１ｈを押圧操作することにより、静止画撮像処理を行うため、レリーズ釦の押圧操作を起因とするデジタルカメラ２自体のブレが生じにくい。また、レリーズ釦の押圧操作によりカメラシステム自体がブレた場合であっても、被写体とデジタルカメラとの相対的な位置関係が、保持台および腕部３a、被写体台３ｂにより固定されているため、撮像画像に該ブレの影響が生じにくい。このように、ユーザーは、ブレの影響を最小限におさえてマクロ撮像を容易に行える。
【００２５】
また、デジタルカメラ２の充電およびコンピューターとの通信に用いられる保持台１を、マクロ撮影用の台として用いるため、マクロ撮影専用台を別途用いる必要がなく、ユーザーは容易にマクロ撮影が行える。
【００２６】
なお、保持台１がCP端子によりコンピューターと接続されている際には、デジタルカメラ２は、レリーズ釦１ｈが押圧操作された場合と同様に、コンピューターから受信したレリーズ指示信号に基づき撮像処理を行うとしても良い。またこの場合、撮像された画像データをコンピューターに送信しても良い。これにより、保持台１に保持されたデジタルカメラ２は、レリーズ釦２ｃやレリーズ釦１ｈの押圧操作ではなく、コンピューターから送信されたレリーズ信号に応じて静止画撮像処理を行うため、レリーズ釦の押圧操作を起因とするデジタルカメラ２および保持台１自体のブレが生じにくい。また、ユーザーは、カメラシステムをコンピューターに接続することにより、静止画撮像処理により取得した撮像画像をコンピューターで容易に管理できる。
【００２７】
＜マクロ撮影によるデジタルカメラ２の設定値変更＞
本実施の形態におけるデジタルカメラ２は、上記マクロ撮影で、デジタルカメラ２の設定値を表す設定情報を示した設定カードを撮像することにより、該撮像画像データに含まれる設定情報に基づき設定値等を変更することが可能である。設定カードの表示例を図４に示す。図示のように、設定カードとは周知のマークシートである。本実施の形態においては、ユーザーは、所望の設定情報を設定カードに記す、つまりマークシートの所望の設定値項目のマークをチェックする（黒く塗りつぶす）した後に、該設定カードデジタルカメラ２で撮影することにより、デジタルカメラ２の設定値を変更できる。
【００２８】
設定カードにより変更できる設定値は、露出モード設定、ホワイトバランス設定（図ではWB）、BSS機能設定である。なおBSS機能とは、連続して所定枚数撮像し、該撮像された画像データのうちもっとも画像ぶれが少ない画像のみ外部メモリに記憶するモードである。露出モード設定では、シャッター速度や絞り値等の露出値を所定のプログラムにより設定するプログラムオート、ユーザーにより設定された絞り値を元にシャッター速度を自動に設定する絞り優先、ユーザーにより設定されたシャッター速度を元に絞り値を自動に設定するシャッター優先が選択可能である。ホワイトバランス設定では、ホワイトバランス（以後WBとする）を、所定のプログラムにより決定するオート、太陽光にあわせる太陽光、曇天にあわせる曇天、蛍光灯にあわせる蛍光灯が選択可能である。BSS機能設定は、機能のONおよびOFFが選択可能である。
【００２９】
図４に示すように、各設定項目名（露出、WB、BSS）および各設定項目の選択項目名（プログラム、絞り優先、シャッター優先、オート、太陽、曇天、蛍光灯、ON、OFF）およびこれに対応したチェック領域４が表示されている。ユーザーは各設定項目において設定したい選択項目に対応するチェック領域をチェック（黒色で塗る）する。図４に示した設定カードにおいては、露出モードはシャッター優先、ホワイトバランスは蛍光灯、BSSはONが選択された状態を示す。ユーザーは、任意の設定をチェックした設定カードを被写体台３ｂに配置し、レリーズ釦１ｈを押圧操作する。デジタルカメラ２は、レリーズ釦１ｈの押圧操作により撮像処理を行い画像データを作成する。次にデジタルカメラ２の画像処理部２２は、デジタルカメラ２の設定値を示す情報が該画像データ含まれるか否か判定する。該画像データに設定値を示す情報がある場合は、制御部２０は、該設定値を識別および認識し、これに基づきデジタルカメラ２の設定を変更する。
【００３０】
これにより、ユーザーは、任意の設定値を記載した設定カードを用意し、該設定カードを撮影するだけで即座に複雑な設置値を変更できる。なお、設定カードにより設定できるデジタルカメラの設定項目はこれに限るものではなく、例えば、再生モード等の動作モードや、撮影モードの際に選択可能な、ポートレートモードや風景モード等のプログラムモード、操作音のON/OFF設定等デジタルカメラ２でユーザーが設定可能な設定値であればどのようなものでも良い。また、上記では、設定情報をマークシート形式で設定カードに示したが、これに限るものではなく、例えば、設定値を示す設定情報として設定値を表す１次元または２次元バーコードや、画像、テキスト等を設定カードに表示しても良い。この場合は、デジタルカメラ２は、画像データに含まれる設定情報、つまり1次元または2次元バーコードや、画像、テキスト等に基づき各種設定値を変更する。２次元バーコードを表示した設定カード５を被写体台３ｂに配置したカメラシステムの斜視図を図５に示す。
【００３１】
図示のごとく、被写体台３ｂの被写体保持面にはポートレートモードを示す２次元バーコード５aが表示されている。ユーザーは、まず、カメラを保持台１のカメラ保持部１ｇにはめ込み、レリーズ釦１ｈを押圧操作することにより、被写体台３ｂに表示された２次元バーコードを撮像する。デジタルカメラ２は、撮像された画像データより２次元バーコードを認識すると、該２次元バーコードの示すポートレートモードに切り替わる。これにより、ユーザーは、複雑なデジタルカメラの設定をマクロ撮影により容易に変更できる。なお、カメラの設定値を示す被写体として、上述した設定カードおよび２次元バーコードを用いたが、撮像された被写体画像データよりデジタルカメラが設定値を認識可能ならどのようなものでも良く、例えば１次元バーコード、画像、テキスト等で良い。
【００３２】
以上本発明を適用して一実施の形態におけるカメラシステムについて説明したが、本発明はこれに限るものでは無い。
例えば、上述した被写体台３ｂに自動給紙装置を設けてもよい。被写体台３ｂを自動給紙装置を用いた自動給紙被写体台６に置き換えたカメラステムの斜視図を図６に示す。図示のごとく、自動給紙被写体台６には、複数の名刺や写真等の紙状の被写体６aが重ねられ保持可能である。自動給紙被写体台６下部にはローラー６ｂおよびこれを回転させるための不図示のモーター等の動力が設けられている。自動給紙被写体台５は、腕部３aを通して保持台１と通信可能に接続されており、レリーズ釦１ｈが押圧操作され撮像処理が終了すると、保持台１からの信号を受けてローラー６ｂが回転し被写体が順次排出される。なお、自動給紙被写体台６が保持台１に接続されている際には、被写体が無くなるまで自動的に撮像および給紙を行うとしても良い。この場合はレリーズ釦１ｈが押圧操作されると、被写体が無くなるまで撮像および給紙が繰り返される。これにより複数の被写体を自動的に連続して容易にマクロ撮影することができる。
【００３３】
また、被写体に合わせて撮像範囲を自動的に調整するとしても良い。撮像範囲を被写体に合わせて自動的に変更し撮像する際の動作をフロー図７を元に説明する。
まず、デジタルカメラ２が、保持台１のカメラ保持部１ｇにはめ込まれマクロ撮影モードに設定され、モード釦１iが押圧操作されることによりデジタルカメラ２がマクロ撮影モードに切り替わり動画表示処理が開始される。ステップS２で、レリーズ釦１ｈが押圧操作されると、ステップS３へ移りデジタルカメラ２の不図示の撮像レンズが合焦できる範囲でズームをワイド端へ移動する。ステップS４では、動画表示処理により得た表示用画像データを基に基づき画像処理部２２は、被写体と被写体台２ｂとのコントラスト比等から被写体の大きさ（形態）を認識する。被写体が撮影範囲より大きい場合は、ステップS１１へ移り撮像し撮像処理を終了する（これ以上ワイド方向にズームが不可能なため）。
【００３４】
被写体が撮影範囲より小さい場合はステップS５へ移る。ステップS５では、ズームを１ステップ分（所定画角）テレ方向へズームする。ステップS６では、ズーム位置がテレ端であるか否かが判定され、テレ端である場合はステップS１３へ移り撮像し撮像処理を終了し（これ以上テレ方向にズームが不可能なため）、ズーム位置がテレ端でない場合はステップS７へ移る。ステップS７では再度被写体が撮影範囲より大きいか否かを判定し、被写体が撮影範囲より大きい場合はステップS８へ移り、被写体が撮影範囲より小さい場合はステップS５へ戻り（再度１ステップ分ズームされる）。ステップS８ではズームを１ステップワイド方向へ戻し（１ステップ前が最適な撮影範囲であるため）、ステップS９で撮像し撮像処理を終了する。
【００３５】
上述のように、ユーザーは被写体台１ｂに被写体をセットし、レリーズ釦１ｈを押圧操作するのみで、自動で最適な大きさで被写体が撮像することができる。これにより、ユーザーは、任意の被写体を最適な撮影範囲で容易にマクロ撮影することが可能となる。
【００３６】
さらに、保持台１に撮像光学系のズーム倍率を変更するためのズームスイッチを設けてもよい。ユーザーは安定した保持台１に設けられたズームスイッチにより撮影画角を任意に変更し、同様に安定した保持台１に設けられたレリーズ釦を操作することにより静止画撮像処理が行えるため、一連の撮影操作がスムーズに行える。
【００３７】
以上、上述した実施の形態では、デジタルカメラ２を用いたが、これに限るものではなく、例えばレンズ着脱式のデジタルカメラ、ビデオカメラや、銀塩カメラ等の撮像機器を用いても良い。
【図面の簡単な説明】
【００３８】
【図１】カメラシステムの斜視図
【図２】カメラシステムの斜視図
【図３】デジタルカメラ２のブロック図
【図４】設定カード
【図５】カメラシステムの斜視図
【図６】自動給紙装置を備えたカメラシステムの斜視図
【図７】撮影範囲自動調整処理のフロー
【符号の説明】
【００３９】
１  保持台
２  デジタルカメラ
３a  腕部
３ｂ  被写体台
４  チェック領域
５  設定カード
６  自動給紙被写体台
２０  制御部
２１  撮像素子
２２  画像処理部
２３  液晶制御部
２５  RAM
２６  ROM
２７  EEPROM
２８  外部メモリ
２９  外部入出力部
３０  操作部
１００  被写体
【図１】
2007019573.tif 000003
【図２】
2007019573.tif 000004
【図３】
2007019573.tif 000005
【図４】
2007019573.tif 000006
【図５】
2007019573.tif 000007
【図６】
2007019573.tif 000008
【図７】
2007019573.tif 000009